(57)【要約】【課題】非双方向性と双方向性の画像入力手段を有する画像表示装置の利便性を高める。【解決手段】画像表示装置は、双方向性伝送路を介して第１の画像が供給される第１の画像入力部と、非双方向性伝送路を介して第２の画像が供給される第２の画像入力部と、画像表示装置による画像の表示状態を制御する表示制御部と、を備えている。表示制御部は、画像表示装置の表示モードとして、第２の画像を表示する第２画像表示モードと、第１の画像と前記第２の画像とを含む合成画像を表示する合成画像表示モードと、を有している。画像表示装置は、表示モードが第２画像表示モードである場合に、第１の画像入力部に画像を供給する外部の装置と第１の画像入力部との間の双方向性伝送路の確立に応じて、表示モードを第２画像表示モードから合成画像表示モードに切り替える。【選択図】図２
2008209772.tif 000002
【特許請求の範囲】
【請求項１】
画像表示装置であって、
双方向性伝送路を介して第１の画像が供給される第１の画像入力部と、
非双方向性伝送路を介して第２の画像が供給される第２の画像入力部と、
前記画像表示装置による画像の表示状態を制御する表示制御部と、
を備え、
前記表示制御部は、前記画像表示装置の表示モードとして、
前記第２の画像を表示する第２画像表示モードと、
前記第１の画像と前記第２の画像とを含む合成画像を表示する合成画像表示モードと、
を有しており、
前記画像表示装置は、
前記表示モードが第２画像表示モードである場合に、前記第１の画像入力部に画像を供給する外部の装置と前記第１の画像入力部との間の前記双方向性伝送路の確立に応じて、表示モードを前記第２画像表示モードから前記合成画像表示モードに切り替える、
画像表示装置。
【請求項２】
請求項１記載の画像表示装置であって、
前記表示制御部は、さらに、前記画像表示装置に予め格納されたガイド画像を含む画像を表示するガイド画面表示モードを有しており、
前記画像表示装置は、
前記双方向性伝送路の確立の後、前記表示制御部の表示モードを前記ガイド画面表示モードに設定し、
前記第１の画像の前記外部の装置からの供給が開始された後、前記表示制御部の表示モードを前記ガイド画面表示モードから前記合成画像表示モードに切り替える、
画像表示装置。
【請求項３】
画像表示装置における画像表示方法であって、
双方向性伝送路を介して供給される第１の画像と、非双方向性伝送路を介して供給される第２の画像とを含む合成画像を表示する合成画像表示モードと、前記第２の画像を表示する第２画像表示モードと、のうちのいずれかを選択して画像表示を行う工程と、
前記非双方向性伝送路が確立されていない状態において前記第２画像表示モードが選択されている場合に、前記双方向性伝送路の確立に応じて前記第２画像表示モードから前記合成画像表示モードに切り替える工程と、
を備える画像表示方法。
【発明の詳細な説明】
【技術分野】
【０００１】
この発明は、画像表示装置の表示状態を設定する技術に関する。
【背景技術】
【０００２】
複数の映像信号の入力系統を有する表示装置において、映像信号の同期信号を検出することにより、外部からの切替信号を与えることなく画面表示を１画面表示から２画面表示に変更することが提案されている（例えば、特許文献１参照）。
【０００３】
【特許文献１】特開２００１−３４６１２１号広報
【発明の開示】
【発明が解決しようとする課題】
【０００４】
しかしながら、近年では、非双方向性の映像信号の他、ＵＳＢ（ユニバーサルシリアルバス）等の双方向性のデータ通信リンクにより画像を表示装置に供給することが行われている。このように、画像をデータ通信リンクにより供給する場合、データ通信リンクの信号状態では画像が供給されているかを判断できない。そのため、データ通信リンクの信号状態に基づいて画面表示を変更すると、ユーザが望まない状態で画面表示が１画面表示から２画面表示に変更されるおそれがある。
【０００５】
本発明は、上述した従来の課題を解決するためになされたものであり、非双方向性と双方向性の画像入力手段を有する画像表示装置の利便性を高めることを目的とする。
【課題を解決するための手段】
【０００６】
上記目的の少なくとも一部を達成するために、本発明の画像表示装置は、双方向性伝送路を介して第１の画像が供給される第１の画像入力部と、非双方向性伝送路を介して第２の画像が供給される第２の画像入力部と、前記画像表示装置による画像の表示状態を制御する表示制御部と、を備え、前記表示制御部は、前記画像表示装置の表示モードとして、前記第２の画像を表示する第２画像表示モードと、前記第１の画像と前記第２の画像とを含む合成画像を表示する合成画像表示モードと、を有しており、前記画像表示装置は、前記表示モードが第２画像表示モードである場合に、前記第１の画像入力部に画像を供給する外部の装置と前記第１の画像入力部との間の前記双方向性伝送路の確立に応じて、表示モードを前記第２画像表示モードから前記合成画像表示モードに切り替えることを特徴とする。
【０００７】
この構成によれば、表示モードの第２画像表示モードから合成画像表示モードへの切替は、双方向性伝送路が確立され画像表示装置への画像の供給可能となった場合に行われる。そのため、画像表示装置への画像の供給ができない状態での表示モードの切替が抑制されるとともに、画像表示装置への第１の画像の供給が可能な状態では第１の画像と第２の画像とを含む合成画像が表示されるので、画像表示装置の利便性を高めることができる。
【０００８】
前記表示制御部は、さらに、前記画像表示装置に予め格納されたガイド画像を含む画像を表示するガイド画面表示モードを有しており、前記画像表示装置は、前記双方向性伝送路の確立の後、前記表示制御部の表示モードを前記ガイド画面表示モードに設定し、前記第１の画像の前記外部の装置からの供給が開始された後、前記表示制御部の表示モードを前記ガイド画面表示モードから前記合成画像表示モードに切り替えるものとしてもよい。
【０００９】
この構成によれば、表示モードは、双方向性伝送路の確立によりガイド画面表示モードに設定され、第１の画像の供給開始により合成画像表示モードに切り替えられる。そのため、ユーザは、画像表示装置の状態をより的確に把握することができるので、画像表示装置の利便性を高めることができる。
【００１０】
なお、本発明は、種々の態様で実現することが可能である。例えば、画像表示装置、画像表示方法、画像表示装置の制御装置および制御方法、それらの画像表示装置、画像表示方法、制御装置および制御方法の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１１】
次に、本発明の実施の形態を実施例に基づいて以下の順序で説明する。
Ａ．第１実施例：
Ａ１．画像投射システム：
Ａ２．表示モードの切替：
Ａ３．表示モードの切替機構：
Ｂ．第２実施例：
Ｃ．第３実施例：
Ｄ．第４実施例：
Ｅ．変形例：
【００１２】
Ａ１．画像投射システム：
図１は、本発明の第１実施例を適用する画像投射システムの概略構成を示す概略構成図である。この画像投射システム１０は、プロジェクタ１００と、２台のパーソナルコンピュータ２００，３００と、を有している。
【００１３】
プロジェクタ１００は、ランプ１１０と、液晶ライトバルブ１２０と、液晶駆動制御部１３０と、表示制御部１４０と、ＲＧＢコネクタ１５０と、ＵＳＢコネクタ１６０と、を備えている。表示制御部１４０は、ＲＧＢコネクタ１５０とＵＳＢコネクタ１６０とのそれぞれに接続されている。ＲＧＢコネクタ１５０には、外部の装置からアナログＲＧＢ信号（以下、「ＲＧＢ画像信号」とも呼ぶ）が入力される。ＲＧＢコネクタ１５０に入力されたＲＧＢ画像信号は、表示制御部１４０に供給される。ＵＳＢコネクタ１６０には、ＵＳＢ（ユニバーサルシリアルバス）により接続された外部の装置から画像データ（以下、「ＵＳＢ画像データ」とも呼ぶ）が入力される。ＵＳＢコネクタ１６０に入力されたＵＳＢ画像データは、表示制御部１４０に供給される。
【００１４】
表示制御部１４０に設けられたＵＳＢ接続検知部１４２は、ＵＳＢコネクタ１６０に外部の装置が接続されているか否かを検知する。具体的には、外部の装置からＵＳＢコネクタ１６０に供給されるバス電圧ＶBUSの値をモニタし、バス電圧ＶBUSが所定の電圧値（例えば、４Ｖ）以上である場合に、外部の装置が接続されていると判断する。表示制御部１４０は、ＵＳＢ接続検知部１４２の検出結果に基づいて、プロジェクタ１００の画像表示モードを切り替える。なお、ＵＳＢ接続検知部１４２の検出結果に基づく表示モードの切替については、後述する。
【００１５】
表示制御部１４０に設けられたフレームメモリ１４４には、ＲＧＢ画像信号により表される画像（ＲＧＢ画像）と、ＵＳＢ画像データにより表される画像（ＵＳＢ画像）と、の少なくとも一方を含む画像を表す画像データが格納される。フレームメモリ１４４の画像データは、液晶駆動制御部１３０に供給される。液晶駆動制御部１３０は、フレームメモリ１４４から供給される画像データに応じて、ランプ１１０からの照射光を変調するための液晶ライトバルブ１２０を制御する。液晶ライトバルブ１２０により変調された光は、投射レンズ１１２を介して図示しないスクリーン上に投射される。液晶ライトバルブ１２０により変調された光がスクリーン上に投射されることにより、フレームメモリ１４４に格納された画像データによって表される画像（投射画像）がスクリーン上に表示される。なお、本明細書において、このように投射画像が表示されるスクリーン上の領域を、「投射領域」とも呼ぶ。
【００１６】
第１のパーソナルコンピュータ２００は、ＲＧＢ信号出力部２１０と、ＲＧＢコネクタ２２０と、を備えている。ＲＧＢ信号出力部２１０は、ＲＧＢ画像信号を、ＲＧＢコネクタ２２０を介してパーソナルコンピュータ２００の外部に送出する。図１の例では、パーソナルコンピュータ２００のＲＧＢコネクタ２２０と、プロジェクタ１００のＲＧＢコネクタ１５０とが接続されている。そのため、パーソナルコンピュータ２００からプロジェクタ１００にＲＧＢ画像が供給される。なお、ＲＧＢ信号出力部２１０は、プラグアンドプレイ機能により、送出するＲＧＢ画像の解像度をＲＧＢ画像信号の出力先（すなわち、プロジェクタ１００）の表示解像度に設定することが可能であり、本実施例では、ＲＧＢ画像の解像度はプロジェクタ１００の表示解像度に設定されている。なお、パーソナルコンピュータ２００とプロジェクタ１００とを接続するＲＧＢ画像信号の信号線は、ＲＧＢ画像を伝送するための伝送路ともいうことができる。
【００１７】
第２のパーソナルコンピュータ３００は、画像送出部３１０と、ＵＳＢコネクタ３２０と、を備えている。画像送出部３１０は、パーソナルコンピュータ３００が有するディスプレイ（図示しない）への表示画像を表す画像データを生成し、生成した画像データをＵＳＢコネクタ３２０を介して外部に送出する。表示画像を表す画像データは、例えば、ミラードライバにより生成される。ここで、ミラードライバとは、表示画像を生成するための描画指示を取得し、取得した描画指示に基づいて画像データを生成する一種のデバイスドライバである。画像送出部３１０は、パーソナルコンピュータ３００のＣＰＵ（図示しない）が、パーソナルコンピュータ３００に予めインストールされた画像送出プログラムを実行することにより実現される。
【００１８】
なお、パーソナルコンピュータ３００に画像送出プログラムがインストールされていない場合には、画像送出プログラムは、パーソナルコンピュータ３００が有する自動実行機能によりインストールされる。具体的には、プロジェクタ１００を、例えばＣＤ−ＲＯＭ等の記憶装置としてパーソナルコンピュータ３００に認識させる。パーソナルコンピュータ３００は、その自動実行機能により、記憶装置として認識したデバイスからプログラムを読み込み、読み込んだプログラムを実行する。このように、パーソナルコンピュータ３００がプロジェクタ１００に格納されたインストールプログラムを実行することにより、画像送出プログラムはパーソナルコンピュータ３００にインストールされる。
【００１９】
Ａ２．表示モードの切替：
図２は、第１実施例において表示モードを切り替える表示モード切替ルーチンを示すフローチャートである。表示モード切替ルーチンは、ＵＳＢ接続検知部１４２によりＵＳＢコネクタ１６０への外部の装置の接続が検出された場合に、表示制御部１４０により実行される。
【００２０】
図３（ａ）〜図３（ｃ）は、ＲＧＢ画像表示モードと、２画面表示モードと、ＵＳＢ画像表示モードとのそれぞれにおいて、プロジェクタ１００により投射される画像を示している。図３の例では、ＵＳＢコネクタ１６０への第２のパーソナルコンピュータ３００の接続前に、ＲＧＢ画像ＩＭ１を表すＲＧＢ画像信号が第１のパーソナルコンピュータ２００からプロジェクタ１００に入力されている。そのため、図３（ａ）に示すように、プロジェクタ１００の投射領域全体に、ＲＧＢ画像ＩＭ１が投射されている。なお、ＲＧＢ画像信号がプロジェクタ１００に入力されていない場合、プロジェクタ１００は、ＲＧＢ画像信号の入力待ちであることを表す待機画像（図示しない）を投射する。
【００２１】
ステップＳ１１０において、表示制御部１４０は、ＵＳＢコネクタ１６０に接続された装置との間のＵＳＢによる通信リンク（以下、「ＵＳＢ接続」とも呼ぶ）を確立する。図１の例では、表示制御部１４０は、ＵＳＢコネクタ１６０に接続されたパーソナルコンピュータ３００との間のＵＳＢ接続を確立する。具体的には、パーソナルコンピュータ３００とプロジェクタ１００とが接続されると、ＵＳＢの規格に従って、パーソナルコンピュータ３００とプロジェクタ１００との間で所定のデータの送受信が行われる。所定のデータの送受信を行うことにより、パーソナルコンピュータ３００とプロジェクタ１００とは互いに相手を認識し通信リンクが確立される。通信リンクが確立されると、パーソナルコンピュータ３００は、画像送出プログラムを実行し、ＵＳＢ画像データのプロジェクタ１００への供給を開始する。このように、ＵＳＢ画像データは、ＵＳＢ接続を介して転送されるので、ＵＳＢ接続は画像の伝送路ともいうことができる。
【００２２】
ステップＳ１２０において、表示制御部１４０は、ＲＧＢ画像信号が入力されているか否かを判断する。ＲＧＢ画像信号が入力されている場合、制御はステップＳ１３０に移される。一方、ＲＧＢ画像信号が入力されていない場合、制御はステップＳ１６０に移される。上述のように、図３の例では、ＲＧＢ画像ＩＭ１を表すＲＧＢ画像信号がプロジェクタ１００に入力されている。そのため、ステップＳ１２０ではＲＧＢ画像信号が入力されていると判断され、制御はステップＳ１３０に移される。
【００２３】
ステップＳ１３０において、表示制御部１４０は、プロジェクタ１００の表示モードをＲＧＢ画像を表示するＲＧＢ画像表示モードから、ＲＧＢ画像とＵＳＢ画像との２つの画像を表示する２画面表示モードに変更する。図３の例では、ＵＳＢ画像ＩＭ２が第２のパーソナルコンピュータ３００からプロジェクタ１００に供給される。そのため、プロジェクタ１００の投射領域には、図３（ｂ）に示すように、ＲＧＢ画像ＩＭ１とＵＳＢ画像ＩＭ２とが横方向に配列された画像ＩＭＤが投射される。なお、２画面表示モードは、ＲＧＢ画像ＩＭ１とＵＳＢ画像ＩＭ２とを含む合成画像ＩＭＤが投射されるので、「合成画像表示モード」とも呼ぶことができる。
【００２４】
ステップＳ１４０において、表示制御部１４０は、ＲＧＢ画像信号が入力されているか否かを判断する。ＲＧＢ画像信号が入力されていない場合、制御はステップＳ１５０に移される。一方、ＲＧＢ画像信号が入力されている場合、制御はステップＳ１４０に戻され、ＲＧＢ画像信号が入力されている間ステップＳ１４０が繰り返し実行される。
【００２５】
ステップＳ１５０において、表示制御部１４０は、プロジェクタの表示モードをＲＧＢ画像とＵＳＢ画像との２つの画像を表示する２画面表示モードから、ＵＳＢ画像を表示するＵＳＢ画像表示モードに変更する。表示モードがＵＳＢ画像表示モードに変更されることにより、図３（ｃ）に示すように、プロジェクタ１００の投射領域全体にＵＳＢ画像ＩＭ２が投射される。
【００２６】
ステップＳ１６０において、表示制御部１４０は、ユーザによる画像入力元（ソース）の切替操作が行われたか否かを判断する。具体的には、表示制御部１４０は、プロジェクタ１００の操作パネルやリモートコントローラ（いずれも図示しない）の操作状態を取得し、ユーザによるソースの切替操作の有無を検出する。ソースの切替操作が行われた場合、制御はステップＳ１５０に移され、プロジェクタ１００の表示モードはＵＳＢ画像表示モードに変更される。一方、ソースの切替操作が行われていない場合、制御はステップＳ１６０に戻され、ソースの切替操作が行われるまでステップＳ１６０が繰り返し実行される。そして、ステップＳ１６０でソースの切替操作が行われたと判断されるまで、プロジェクタ１００では、上述の待機画像が投射される。なお、ステップＳ１６０を省略することも可能である、この場合、ＵＳＢ接続の確立の後、プロジェクタ１００の表示モードは、ＵＳＢ画像表示モードに設定される。
【００２７】
Ａ３．表示モードの切替機構：
図４は、プロジェクタ１００の表示モードの切替に関する機能ブロックの構成を示すブロック図である。表示制御部１４０は、図１に示したＵＳＢ接続検知部１４２とフレームメモリ１４４の他に、ＡＤコンバータ４１０と、スケーラ４２０と、書込データ切替部４３０と、画像データ取得部４４０と、を備えている。なお、図４では、ＲＧＢコネクタ１５０，２２０と、ＵＳＢコネクタ１６０，３２０と、ＵＳＢ接続検知部１４２との図示を省略している。
【００２８】
ＡＤコンバータ４１０は、パーソナルコンピュータ２００のＲＧＢ信号出力部２１０から供給されるＲＧＢ画像信号をデジタル信号（以下、「ＲＧＢ画像データ」とも呼ぶ）に変換する。アナログＲＧＢ信号から生成されたＲＧＢ画像データは、スケーラ４２０に供給される。スケーラ４２０は、ＡＤコンバータ４１０から供給されたＲＧＢ画像データの解像度を必要に応じて変換（スケーリング）する。スケーラ４２０によりスケーリングされたＲＧＢ画像データは、書込データ切替部４３０に供給される。
【００２９】
画像データ取得部４４０は、パーソナルコンピュータ３００の画像送出部３１０（図１）が送出するＵＳＢ画像データを取得する。画像データ取得部４４０が有するデータ解像度設定部４４２は、ＵＳＢ画像データの解像度を指定するデータを画像送出部３１０に送信する。画像送出部３１０は、データ解像度設定部４４２により指定された解像度でＵＳＢ画像データを生成し、生成された画像データをＵＳＢにより画像データ取得部４４０に送信する。画像データ取得部４４０は、受信したＵＳＢ画像データを書込データ切替部４３０に供給する。なお、指定された解像度のＵＳＢ画像データの生成は、例えば、ディスプレイ（図示しない）の解像度の画像をミラードライバにより生成し、生成された画像を指定された解像度にスケーリングすることにより行うことができる。
【００３０】
書込データ切替部４３０は、フレームメモリ１４４に書き込む画像データをプロジェクタ１００の表示モードに応じて切り替える。表示モードがＲＧＢ画像表示モードである場合には、スケーラ４２０から供給されるＲＧＢ画像データをフレームメモリ１４４に転送し、フレームメモリ１４４にＲＧＢ画像データを書き込む。表示モードがＵＳＢ画像表示モードである場合には、画像データ取得部４４０から供給されるＵＳＢ画像データをフレームメモリ１４４に転送し、フレームメモリ１４４にＵＳＢ画像データを書き込む。また、表示モードが２画面表示モードである場合には、フレームメモリ１４４に転送する画像データを適当なタイミングで切替えることにより、ＲＧＢ画像データとＵＳＢ画像データとのそれぞれをフレームメモリ１４４に書き込む。なお、２画面表示モードにおけるＲＧＢ画像データとＵＳＢ画像データとの切替については、後述する。以上の説明から明らかなように、第１実施例においては、フレームメモリ１４４は、ＲＧＢ画像とＵＳＢ画像とを含む合成画像を生成する「合成画像生成部」に相当し、書込データ切替部４３０は、合成画像生成部に入力する画像を切り替える「入力画像切替部」に相当する。
【００３１】
図５ないし図７は、ＲＧＢ画像データとＵＳＢ画像データとがフレームメモリ１４４に書き込まれる様子を示す説明図である。本実施例のプロジェクタ１００は、投射画像の解像度（表示解像度）、すなわちフレームメモリ１４４の解像度が１２８０×１０２４画素に設定されている。上述のように、パーソナルコンピュータ２００のＲＧＢ信号出力部２１０は、プロジェクタ１００の表示解像度と同じ解像度のＲＧＢ画像信号を送出する。そのため、第１のパーソナルコンピュータ２００から供給されるＲＧＢ画像の解像度は、プロジェクタ１００の投射画像と同一の解像度（１２８０×１０２４画素）に設定されている。なお、図５ないし図７においては、書込データ切替部４３０の図示を省略している。
【００３２】
図５は、ＲＧＢ画像表示モードにおいて、ＲＧＢ画像データがフレームメモリ１４４に書き込まれる様子を示す説明図である。上述のように、第１のパーソナルコンピュータ２００から供給されるＲＧＢ画像は解像度が１２８０×１０２４画素となっている。そのため、ＡＤコンバータ４１０は、１２８０×１０２４画素のＲＧＢ画像データＩＤ１を生成する。生成されたＲＧＢ画像データＩＤ１の解像度はフレームメモリ１４４の解像度と同一であるので、スケーラ４２０では解像度変換が行われない。そして、ＡＤコンバータ４１０で生成されたＲＧＢ画像データＩＤ１は、そのままフレームメモリ１４４に供給され、フレームメモリ１４４の全領域にＲＧＢ画像データＩＤ１が書き込まれる。このように、ＲＧＢ画像表示モードにおいては、フレームメモリ１４４の全領域にわたってＲＧＢ画像データＩＤ１が書き込まれることにより、プロジェクタ１００は、投射領域全体にＲＧＢ画像を投射する。
【００３３】
図６は、ＵＳＢ画像表示モードにおいて、ＵＳＢ画像データがフレームメモリ１４４に書き込まれる様子を示す説明図である。ＵＳＢ画像表示モードでは、ＵＳＢ画像のみが投射される。そのため、画像データ取得部４４０は、ＵＳＢ画像データＩＤ２の解像度として、フレームメモリ１４４の解像度と同一の解像度（１２８０×１０２４画素）を指定する。画像送出部３１０は、指定された解像度のＵＳＢ画像データＩＤ２を生成し、画像データ取得部４４０に供給する。画像データ取得部４４０に供給されたＵＳＢ画像データＩＤ２は、フレームメモリ１４４と同一の解像度となっているので、ＵＳＢ画像データＩＤ２はそのままフレームメモリ１４４に供給され、フレームメモリ１４４の全領域にＵＳＢ画像データＩＤ２が書き込まれる。このように、ＵＳＢ画像表示モードにおいては、フレームメモリ１４４の全領域にわたってＵＳＢ画像データＩＤ２が書き込まれることにより、プロジェクタ１００は、投射領域全体にＵＳＢ画像を投射する。
【００３４】
図７は、２画面表示モードにおいて、ＲＧＢ画像データとＵＳＢ画像データとがフレームメモリ１４４に書き込まれる様子を示す説明図である。２画面表示モードにおいても、図５のＲＧＢ画像表示モードと同様に、ＡＤコンバータ４１０では、１２８０×１０２４画素のＲＧＢ画像データＩＤ１が生成される。２画面表示モードでは、ＲＧＢ画像とＵＳＢ画像とを合成するため、フレームメモリ１４４の左側１／２の領域にＲＧＢ画像データが書き込まれる。このとき、横方向の解像度はフレームメモリ１４４の半分となる。そのため、ＡＤコンバータ４１０で生成されたＲＧＢ画像データＩＤ１は、スケーラ４２０において横方向および縦方向の解像度がそれぞれ１／２の画像データＩＤ１ａに変換される。そして、解像度変換された画像データＩＤ１ａは、フレームメモリ１４４の左側１／２の領域に書き込まれる。なお、このように、プロジェクタ１００の各部が授受を行うＲＧＢ画像データおよびＵＳＢ画像データは、いずれも画像を所定の形式で表すデータである。そのため、プロジェクタ１００の各部によるこれらのデータの授受は、画像そのものを授受しているとも言える。
【００３５】
一方、画像送出部３１０においては、横方向および縦方向の解像度がそれぞれフレームメモリ１４４の解像度の１／２の画像データＩＤ２ａが生成される。このように、予め解像度を低減して生成されたＵＳＢ画像データＩＤ２ａは、画像送出部３１０から画像データ取得部４４０に転送される。画像データ取得部４４０が取得したＵＳＢ画像データＩＤ２ａは、横方向および縦方向の解像度がそれぞれフレームメモリ１４４の１／２となっているので、ＵＳＢ画像データＩＤ２ａはそのままフレームメモリ１４４に供給され、フレームメモリの右側の領域に書き込まれる。
【００３６】
このように、２画面表示モードにおいては、ＲＧＢ画像信号から生成されたＲＧＢ画像データＩＤ１は、スケーラ４２０により縮小されてフレームメモリ１４４の左側１／２の領域に書き込まれる。また、第２のパーソナルコンピュータ３００からは、予め解像度が低減されたＵＳＢ画像データＩＤ２ａが供給され、フレームメモリ１４４の右側１／２の領域に書き込まれる。このようにして、フレームメモリ１４４には、ＲＧＢ画像とＵＳＢ画像とが合成された画像が格納され、プロジェクタ１００は、図３（ｂ）に示すように２つの画像ＩＭ１，ＩＭ２が横方向に配列された画像（２画面画像）ＩＭＤを投射する。
【００３７】
図８は、２画面表示モードにおいて、フレームメモリ１４４にＲＧＢ画像データとＵＳＢ画像データとが書き込まれる様子を示すタイミングチャートである。図８（ａ）ないし図８（ｄ）の横軸は時間を表している。
【００３８】
ＲＧＢコネクタ１５０から供給されるＲＧＢ画像信号には、図８（ａ）に示す垂直同期信号と、図８（ｂ）に示す階調信号とが含まれている。ここで、階調信号とは、ＲＧＢ画像を構成する各画素の階調値を表す信号である。図８（ａ）に示すように、垂直同期信号は、所定の垂直期間（例えば、１／６０秒）ごとに１つのパルスを有する信号である。この垂直期間の間にプロジェクタ１００に供給される階調信号（図８（ｂ））により、プロジェクタ１００により投射される１画面分の画像（フレーム）が形成される。図８（ｂ）の例では、垂直期間Ｔ１において、第１のフレームＶ１を表す階調信号がプロジェクタ１００に供給される。同様に垂直期間Ｔ２、Ｔ３において、第２と第３のフレームＶ２，Ｖ３を表す階調信号がプロジェクタ１００に供給される。
【００３９】
図８（ｃ）は、ＵＳＢコネクタ１６０から供給されるＵＳＢ画像データを示している。ＵＳＢ画像データは、双方向性の通信リンクであるＵＳＢによって転送される。そのため、パーソナルコンピュータ３００の画像送出部３１０と、プロジェクタ１００の画像データ取得部４４０との間のＵＳＢ画像データの転送手順を適宜決定することにより、画像データ転送のフローコントロールを行うことができる。ここで、フローコントロールとは、データ転送を停止し或いはデータ転送を再開するための制御のことをいう。
【００４０】
図８（ｄ）に示すように、垂直期間Ｔ１においては、ＲＧＢ画像信号の第１のフレームＶ１を表すＲＧＢ画像データが、フレームメモリ１４４に書き込まれている。具体的には、書込データ切替部４３０は、スケーラ４２０から供給される画像データをフレームメモリ１４４に転送することにより、図７に示すように、ＲＧＢ画像データをフレームメモリ１４４の左側１／２の領域に書き込む。
【００４１】
この垂直期間Ｔ１では、ＵＳＢ画像Ｕ１データの一部分（部分画像データ）Ｕ１ａが転送される。この部分画像データＵ１ａ転送の後、フローコントロールにより、ＵＳＢ画像データＵ１の転送は中止される。表示制御部１４０は、ＵＳＢ画像データＵ１の転送が開始された後、垂直同期信号のパルスを検出すると、書込データ切替部４３０を制御して、フレームメモリ１４４に供給する画像データの供給元をスケーラ４２０から画像データ取得部４４０に切り替える。
【００４２】
垂直期間Ｔ２において、画像データの供給元が画像データ取得部４４０に切り替えられると、画像データ取得部４４０は、パーソナルコンピュータ３００の画像送出部３１０からのＵＳＢ画像データＵ１の受信を再開して、ＵＳＢ画像データＵ１の残りの部分画像データＵ１ｂを受信するとともに、先に受信した部分画像データＵ１ａと残りの部分画像データＵ１ｂとを書込データ切替部４３０に供給する。このように、書込データ切替部４３０に供給されたＵＳＢ画像データＵ１は、図７に示すようにフレームメモリ１４４の右側の領域に書き込まれる。
【００４３】
図８の例では、ＵＳＢ画像データＵ１の書込は垂直期間Ｔ２中に完了する。表示制御部１４０は、このようにＵＳＢ画像データＵ１の書込が完了した後、垂直同期信号のパルスを検出すると、書込データ切替部４３０を制御して、フレームメモリ１４４に供給する画像データの供給元を画像データ取得部４４０からスケーラ４２０に切り替える。画像データの供給元がスケーラ４２０に切り替えられた垂直期間Ｔ３では、第３のフレームＶ３を表すＲＧＢ画像データが、フレームメモリ１４４に書き込まれる。
【００４４】
このように、ＲＧＢ画像とＵＳＢ画像とを合成して表示する２画面表示モードでは、ＲＧＢ画像信号に含まれる垂直同期信号に応じて、フレームメモリ１４４に書き込む画像データを切り替える。通常、フレームメモリ１４４へのＲＧＢ画像データの書込は、フレームごとに行われる。そのため、ＲＧＢ画像データからＵＳＢ画像データの切替を垂直同期信号に応じて行うことにより、垂直期間中の書込画像データの切替のためにＲＧＢ画像データの書込が失敗する可能性を低減することができる。また、ＵＳＢ画像データからＲＧＢ画像データへの切替を垂直同期信号に応じて行うことにより、切替後のＲＧＢ画像データが書き込まれない時間を短縮することができる。そのため、ＲＧＢ画像のフレームの更新頻度をより高くすることができるので、２画面表示モードにおけるＲＧＢ画像の表示をより好ましいものにすることができる。
【００４５】
このように、第１実施例のプロジェクタ１００（図１）では、ＲＧＢコネクタ１５０からＲＧＢ画像信号が供給されている際、ＵＳＢコネクタ１６０にパーソナルコンピュータ３００（図１）が接続され、パーソナルコンピュータ３００との間でのＵＳＢ接続が確立されると、プロジェクタ１００は２画面表示モードに切り替わる。そのため、ＵＳＢ画像を表示するための表示モードの切替操作が省略できるので、ＵＳＢを介して画像を取得するプロジェクタ１００の利便性が向上する。また、２画面表示モードでは、ＵＳＢ画像とＲＧＢ画像とが同時に投射される。そのため、表示モードの切替操作を行うことなくプロジェクタ１００に入力されている画像を確認することができるので、プロジェクタ１００の利便性が向上する。
【００４６】
Ｂ．第２実施例：
図９は、第２実施例におけるプロジェクタ１００ａの表示モードの切替に関する機能ブロックの構成を示すブロック図である。第２実施例のプロジェクタ１００ａに設けられた表示制御部１４０ａは、書込データ切替部４３０が省略されている点と、スケーラ入力切替部４５０が設けられている点と、画像データ取得部４４０が画像データ取得部４４０ａに置き換えられている点とで、図４に示す第１実施例の表示制御部１４０と異なっている。
【００４７】
第２実施例の画像データ取得部４４０ａは、データ解像度設定部４４２（図４）が省略されているので、パーソナルコンピュータ３００にＵＳＢ画像の解像度を指定しない。そのため、パーソナルコンピュータ３００の画像送出部３１０は、パーソナルコンピュータ３００のディスプレイ（図示しない）の解像度と同一の解像度（１２８０×１０２４画素）のＵＳＢ画像データをプロジェクタ１００ａに供給する。
【００４８】
第２実施例のプロジェクタ１００ａでは、ＡＤコンバータ４１０と画像データ取得部４４０とは、それぞれスケーラ入力切替部４５０に接続されている。スケーラ入力切替部４５０は、ＡＤコンバータ４１０から供給されるＲＧＢ画像データと、画像データ取得部４４０から供給されるＵＳＢ画像データと、のいずれかをスケーラ４２０に供給する。スケーラ４２０は、スケーラ入力切替部４５０から供給される画像データにスケーリング処理を施し、スケーリング処理を行った画像データをフレームメモリ１４４に書き込む。
【００４９】
図１０は、第２実施例において、２画面表示モードでＲＧＢ画像データとＵＳＢ画像データとがフレームメモリ１４４に書き込まれる様子を示す説明図である。第２実施例の２画面表示モードにおいても、プロジェクタ１００ａの表示解像度（１２８０×１０２４画素）と同一解像度のＲＧＢ画像信号が、パーソナルコンピュータ２００からプロジェクタ１００ａに供給される。そのため、ＡＤコンバータ４１０では、１２８０×１０２４画素のＲＧＢ画像データＩＤ１が生成される。生成されたＲＧＢ画像データＩＤ１は、スケーラ入力切替部４５０に供給される。画像データ取得部４４０ａは、画像送出部３１０から供給され、解像度が１２８０×１０２４画素のＵＳＢ画像データＩＤ２を取得し、スケーラ入力切替部４５０に供給する。
【００５０】
スケーラ入力切替部４５０は、ＡＤコンバータ４１０から供給されるＲＧＢ画像データＩＤ１と、画像データ取得部４４０ａから供給されるＵＳＢ画像データＩＤ２とを、特定のタイミングで切り替えてスケーラ４２０に供給する。スケーラ４２０は、スケーラ入力切替部４５０から供給される画像データＩＤ１，ＩＤ２にスケーリング処理を施し、横方向および縦方向の解像度がそれぞれフレームメモリ１４４の解像度の１／２の画像データＩＤ１ａ，ＩＤ２ａを生成する。スケーリングされた画像データＩＤ１ａ，ＩＤ２ａは、フレームメモリの左側および右側のそれぞれ１／２の領域に書き込まれる。なお、以上の説明から明らかなように、第２実施例においては、フレームメモリ１４４およびスケーラ４２０は、ＲＧＢ画像とＵＳＢ画像とを含む合成画像を生成する「合成画像生成部」に相当し、スケーラ入力切替部４５０は、合成画像生成部に入力する画像を切り替える「入力画像切替部」に相当する。
【００５１】
図１１は、２画面表示モードにおいて、スケーラ４２０に供給される画像データが切り替えられる様子を示すタイミングチャートである。図１１（ａ）ないし図１１（ｄ）の横軸は時間を表している。図１１（ａ）および図１１（ｂ）は、ＲＧＢ画像信号に含まれる垂直同期信号と階調信号とを示している。図１１（ｃ）は、ＵＳＢ画像データを示している。図１１（ｄ）は、スケーラ４２０に入力される画像データを示している。
【００５２】
図１１（ｂ）に示すように、垂直期間Ｔ１において、第１のフレームＶ１を表す階調信号がプロジェクタ１００に供給される。同様に垂直期間Ｔ２〜Ｔ６において、フレームＶ２〜Ｖ６を表す階調信号がプロジェクタ１００に供給される。また、垂直期間Ｔ１において、ＵＳＢ画像データＵ２のうちの部分画像データＵ２ａが転送される。この部分画像データＵ２ａ転送の後、ＵＳＢ画像データＵ２の転送は中止される。
【００５３】
図１１（ｄ）に示すように、垂直期間Ｔ１において、ＲＧＢ画像信号の第１のフレームＶ１を表すＲＧＢ画像データがスケーラ４２０に入力される。そして、スケーラに入力されたＲＧＢ画像データＶ１は、スケーリングされた後、フレームメモリ１４４の左側１／２の領域に書き込まれる。この垂直期間Ｔ１では、ＵＳＢ画像データＵ２のうちの部分画像データＵ２ａが転送され、部分画像データＵ２ａ転送の後、ＵＳＢ画像データＵ２の転送は中止される。表示制御部１４０ａは、ＵＳＢ画像データＵ２の転送が開始された後、垂直同期信号のパルスを検出すると、スケーラ入力切替部４５０を制御して、スケーラ４２０に供給する画像データの供給元をＡＤコンバータ４１０から画像データ取得部４４０ａに切り替える。
【００５４】
垂直期間Ｔ２において、画像データの供給元が画像データ取得部４４０ａに切り替えられると、画像データ取得部４４０ａは、ＵＳＢ画像データＵ２の受信を再開して、残りの部分画像データＵ２ｂを受信するとともに、先に受信した部分画像データＵ２ａと残りの部分画像データＵ２ｂとをスケーラ入力切替部４５０に供給する。このように、スケーラ入力切替部４５０に供給されたＵＳＢ画像データＵ２は、スケーラ４２０によりスケーリングされ、フレームメモリ１４４の右側の領域に書き込まれる。
【００５５】
図１１の例では、ＵＳＢ画像データＵ２の転送は垂直期間Ｔ５中に完了する。表示制御部１４０ａは、このようにＵＳＢ画像データＵ２の転送が完了した後、垂直同期信号のパルスを検出すると、スケーラ入力切替部４５０を制御して、スケーラ４２０に供給する画像データの供給元を画像データ取得部４４０ａからＡＤコンバータ４１０に切り替える。画像データの供給元がＡＤコンバータ４１０に切り替えられた垂直期間Ｔ６では、第６のフレームＶ６を表すＲＧＢ画像データが、スケーラ４２０によりスケーリングされ、スケーリングされたＲＧＢ画像データがフレームメモリ１４４に書き込まれる。
【００５６】
このように、ＲＧＢ画像とＵＳＢ画像とを合成して表示する２画面表示モードでは、ＲＧＢ画像信号に含まれる垂直同期信号に応じて、スケーラ４２０に入力される画像データを切り替える。通常、スケーラ４２０によるスケーリング処理は、フレームごとに行われる。そのため、ＲＧＢ画像データからＵＳＢ画像データの切替を垂直同期信号に応じて行うことにより、垂直期間中の入力データの切替のためにＲＧＢ画像データのスケーリング処理が失敗する可能性を低減することができる。また、ＵＳＢ画像データからＲＧＢ画像データへの切替を垂直同期信号に応じて行うことにより、切替後にＲＧＢ画像データがスケーリングされない時間を短縮することができる。そのため、ＲＧＢ画像のフレームの更新頻度をより高くすることができるので、２画面表示モードにおけるＲＧＢ画像の表示をより好ましいものにすることができる。
【００５７】
第２実施例は、スケーラ４２０でＵＳＢ画像データのスケーリングを行うことにより、パーソナルコンピュータ３００（図９）側でのスケーリング処理が省略できる。そのため、ＵＳＢ画像データを生成するためのパーソナルコンピュータ３００の処理量を低減することができる点で、第１実施例よりも好ましい。一方、第１実施例は、２画面表示モードにおいてＵＳＢで転送されるデータ量が低減できる点で、第２実施例よりも好ましい。
【００５８】
Ｃ．第３実施例：
図１２は、第３実施例におけるプロジェクタ１００ｂの表示モードの切替に関する機能ブロックの構成を示すブロック図である。第３実施例のプロジェクタ１００に設けられた表示制御部１４０ｂは、フレームバッファ４６０が付加されている点で、図９に示す第２実施例の表示制御部１４０ａと異なっている。他の点は、第２実施例の表示制御部と同じである。
【００５９】
第３実施例では、画像データ取得部４４０ａは、フレームバッファ４６０を介してスケーラ入力切替部４５０に接続されている。フレームバッファ４６０は、画像データ取得部４４０ａから供給されたＵＳＢ画像データを格納する。そして、格納したＵＳＢ画像データをスケーラ入力切替部４５０に供給する。
【００６０】
図１３は、第３実施例の２画面表示モードにおいて、スケーラ４２０に供給される画像データが切り替えられる様子を示すタイミングチャートである。図１３（ａ）ないし図１３（ｄ）の横軸は時間を表している。図１３（ａ）および図１３（ｂ）は、ＲＧＢ画像信号に含まれる垂直同期信号と階調信号とを示している。図１３（ｃ）はＵＳＢ画像データを示し、図１３（ｄ）はスケーラ４２０に入力される画像データを示している。
【００６１】
図１３の例では、垂直期間Ｔ１においては、ＲＧＢ画像信号の第１のフレームＶ１を表すＲＧＢ画像データが、スケーラ４２０に入力される。そして、スケーラに入力されたＲＧＢ画像データＶ１は、スケーリングされた後、フレームメモリ１４４の左側１／２の領域に書き込まれる。この垂直期間Ｔ１では、ＵＳＢ画像データＵ３の転送が終了し、フレームバッファ４６０に１画面分の画像データが格納される。表示制御部１４０ａは、ＵＳＢ画像データＵ３の転送の完了の後、垂直同期信号のパルスを検出すると、スケーラ入力切替部４５０を制御して、スケーラ４２０に供給する画像データの供給元をＡＤコンバータ４１０からフレームバッファ４６０に切り替える。
【００６２】
垂直期間Ｔ２において、画像データの供給元がフレームバッファ４６０に切り替えられると、フレームバッファ４６０は、格納しているＵＳＢ画像データＵ３をスケーラ入力切替部４５０に供給する。このように、スケーラ入力切替部４５０に供給されたＵＳＢ画像データＵ３は、スケーラ４２０によりスケーリングされ、フレームメモリ１４４の右側の領域に書き込まれる。ＵＳＢ画像データＵ３は、垂直期間Ｔ２中にスケーラ４２０を介してフレームメモリ１４４に書き込まれる。
【００６３】
表示制御部１４０ｂは、ＵＳＢ画像データＵ３の書込が完了した後、垂直同期信号のパルスを検出すると、スケーラ入力切替部４５０を制御して、スケーラ４２０に供給する画像データの供給元をフレームバッファ４６０からＡＤコンバータ４１０に切り替える。画像データの供給元がＡＤコンバータ４１０に切り替えられた垂直期間Ｔ３では、第３のフレームＶ３を表すＲＧＢ画像データが、スケーラ４２０によりスケーリングされ、スケーリングされたＲＧＢ画像データがフレームメモリ１４４に書き込まれる。
【００６４】
このように、第３実施例では、ＵＳＢを介して供給されるＵＳＢ画像データをフレームバッファ４６０に格納する。そのため、ＵＳＢ画像データのフレームメモリ１４４への書込をより確実に行うことができ、２画面表示モードにおけるＵＳＢ画像の表示をより好ましいものにすることができる。また、ＵＳＢ画像データの転送速度が遅い場合であっても、ＵＳＢ画像データのフレームメモリ１４４への書込時間が短縮されるので、ＲＧＢ画像データのフレームメモリ１４４への書込が行われない期間が短縮される。そのため、ＲＧＢ画像のフレームの更新頻度をより高くすることができ、２画面表示モードにおけるＲＧＢ画像の表示をより好ましいものにすることができる。
【００６５】
また、第３実施例のように画像データ取得部４４０ａが取得した画像をフレームバッファ４６０に格納する場合、画像送出部３１０から画像データ取得部４４０ａに、表示されているＵＳＢ画像との違いを表す画像データ（差分データ）を転送することにより、ＵＳＢ画像を更新することができる。具体的には、画像送出部３１０は、差分データとして、更新部分の位置および大きさ（配置情報）と、更新部分の画像を表す画像データ（部分画像データ）を画像データ取得部４４０ａに送信する。画像データ取得部４４０ａは、差分データの配置情報と、部分画像データとに基づいて、フレームバッファ４６０を更新する。フレームバッファ４６０を更新することにより、フレームバッファ４６０には、更新後のＵＳＢ画像データが格納される。このように、画像送出部３１０から画像データ取得部４４０ａに差分データを転送することにより、ＵＳＢを介して転送されるデータ量を低減することが可能となる。
【００６６】
なお、第３実施例では、スケーラ４２０への入力画像を切り替えるプロジェクタ１００ｂにフレームバッファ４４２を設けているが、第１実施例のプロジェクタ１００（図４）と同様に書込データ切替部４３０によりフレームメモリ１４４への書込データを切り替えるプロジェクタにフレームバッファを設けるものとしてもよい。この場合、フレームバッファは、画像データ取得部４４０と書込データ切替部４３０との間に設けられる。そして、フレームバッファには、データ解像度設定部４４２により設定された解像度のＵＳＢ画像データが格納される。
【００６７】
Ｄ．第４実施例：
図１４は、第４実施例における表示モード切替ルーチンを示すフローチャートである。第４実施例の表示モード切替ルーチンは、ステップＳ１２０とＳ１３０との間に２つのステップＳ１２２，Ｓ１２４が設けられている点で、図２に示す第１実施例の表示モード切替ルーチンと異なっている。他の点は、第１実施例の表示モード切替ルーチンと同じである。
【００６８】
図１５（ａ）〜図１５（ｃ）は、ＲＧＢ画像表示モードから２画面表示モードに表示モードが切り替えられる際に、プロジェクタ１００により投射される画像を示している。ＲＧＢ画像表示モードの図１５（ａ）は、図３（ａ）と同じである。また、２画面表示モードの図１５（ｃ）は、図３（ｂ）と同じである。
【００６９】
ステップＳ１２２において、表示制御部１４０は、ガイド画面の表示を行う。具体的には、図１５（ｂ）に示すように、ＲＧＢ画像ＩＭ１を投射領域の左側１／２の領域に表示する。そして、投射領域の右側１／２の領域には、ＵＳＢから画像を取得していることを表すプロジェクタ１００に格納されたガイド画像ＩＧＤを表示する。ＲＧＢ画像ＩＭ１とガイド画像ＩＧＤとを横方向に配列した画像ＩＭＤ（ガイド画面）は、２画面表示モード（図１５（ｃ））におけるＲＧＢ画像ＩＭ１とＵＳＢ画像ＩＭ２とを合成する処理と同様にして生成することができる。なお、異なる方法によりガイド画像の表示を行うことも可能である。ガイド画像は、例えば、投射領域全体に表示されたＲＧＢ画像ＩＭ１に重ね合わせて表示することも可能である。
【００７０】
ステップＳ１２４において、表示制御部１４０は、ＵＳＢ画像データが転送されているか否かを判断する。具体的には、表示制御部１４０は、パーソナルコンピュータ３００（図１）の画像送出部３１０から、ＵＳＢ画像データの転送のための所定のデータを受信したか否かを判断する。ＵＳＢ画像データが転送されていると判断された場合には、制御はステップＳ１３０に移され、プロジェクタ１００は図１５（ｃ）に示す２画面表示モードに移行する。一方、ＵＳＢ画像データが転送されていないと判断された場合には、ステップＳ１２４が繰り返し実行される。そして、ＵＳＢ画像データが転送されるまで、プロジェクタ１００は図１５（ｂ）に示すガイド画面を表示し続ける。
【００７１】
このように、第４実施例では、ＵＳＢコネクタ１６０（図１）に外部の装置が接続された後ＵＳＢ画像データの転送が開始されるまで、プロジェクタ１００によりガイド画面が表示される。ガイド画面が表示されることにより、例えば、画像送出プログラムのインストールが実行されている間のように、ＵＳＢ接続の確立後からＵＳＢ画像データのプロジェクタ１００への転送までの時間がかかる場合であっても、ユーザは、ＵＳＢ接続が確立していることを認識することができる。このように、ユーザがプロジェクタ１００の状態をより的確に把握することができるので、プロジェクタ１００ｂの利便性をより高めることができる。
【００７２】
Ｅ．変形例：
なお、この発明は上記実施例や実施形態に限られるものではなく、その要旨を逸脱しない範囲において種々の態様において実施することが可能であり、例えば次のような変形も可能である。
【００７３】
Ｅ１．変形例１：
上記各実施例では、パーソナルコンピュータ３００（図１）からプロジェクタ１００に画像データを供給する通信リンクとしてＵＳＢを使用しているが、画像データの供給が可能な通信リンクであれば任意の通信リンクを用いることができる。通信リンクとしては、例えば、ＩＥＥＥ１３９４規格に従った通信リンクを用いることも可能である。
【００７４】
Ｅ２．変形例２：
上記各実施例では、ＲＧＢ画像信号としてアナログＲＧＢ信号が供給されているが、ＲＧＢ画像信号としては、デジタルＲＧＢ信号が供給されるものとしてもよい。この場合、プロジェクタ１００（図４）に設けられているＡＤコンバータ４１０を省略することも可能である。また、第１のパーソナルコンピュータ２００からプロジェクタ１００へは、画像を表す信号が供給されていればよい。プロジェクタ１００に供給される画像信号は、例えば、ＹＣｂＣｒの階調値を表す信号であってもよい。
【００７５】
Ｅ３．変形例３：
上記各実施例では、図３（ｂ）に示すように、２画面表示モードにおいて、ＲＧＢ画像ＩＭ１とＵＳＢ画像ＩＭ２とを同じ大きさで、横方向に並列して表示しているが、こららの画像ＩＭ１，ＩＭ２の配列はこの限りでない。たとえば、ＲＧＢ画像ＩＭ１とＵＳＢ画像ＩＭ２とを上下に表示するものとしてもよく、一方の画像の大きさを他方の画像よりも大きく表示するものとしてもよい。また、図１０に示すように、フレームメモリへの画像データＩＤ１ａ，ＩＤ２ａを、それぞれフレームメモリ１４４の左側１／２の領域と右側１／２の領域に格納しているが、画像データＩＤ１ａ，ＩＤ２ａの格納位置は、互いに異なる位置であればよく、画像ＩＭ１，ＩＭ２の配列に応じて適宜変更される。
【００７６】
Ｅ４．変形例４：
上記各実施例では、プロジェクタ１００（図１）における光変調手段として、液晶ライトバルブ１２０を用いているが、光変調手段としては、液晶ライトバルブ１２０に限らず、ＤＭＤ（デジタルマイクロミラーデバイス：Texas Instruments社の商標）など、他の任意の変調手段を用いることも可能である。
【００７７】
Ｅ５．変形例５：
上記各実施例では、本発明をプロジェクタに適用しているが、本発明は、プロジェクタの他、液晶表示装置やプラズマ表示装置等の任意の画像表示装置に適用することが可能である。
【図面の簡単な説明】
【００７８】
【図１】本発明の第１実施例を適用する画像投射システムの概略構成を示す概略構成図。
【図２】第１実施例において表示モードを切り替える表示モード切替ルーチンを示すフローチャート。
【図３】表示モード切替ルーチンにより、プロジェクタ１００の表示モードが切り替わる様子を示す説明図。
【図４】プロジェクタ１００の表示モードの切替に関する機能ブロックの構成を示すブロック図。
【図５】ＲＧＢ画像表示モードにおいて、画像データがフレームメモリ１４４に書き込まれる様子を示す説明図。
【図６】ＵＳＢ画像表示モードにおいて、画像データがフレームメモリ１４４に書き込まれる様子を示す説明図。
【図７】２画面表示モードにおいて、画像データがフレームメモリ１４４に書き込まれる様子を示す説明図。
【図８】２画面表示モードにおいて、フレームメモリ１４４にＲＧＢ画像データとＵＳＢ画像データとが書き込まれる様子を示すタイミングチャート。
【図９】プロジェクタ１００ａの表示モードの切替に関する機能ブロックの構成を示すブロック図。
【図１０】第２実施例において、２画面表示モードで画像データがフレームメモリ１４４に書き込まれる様子を示す説明図。
【図１１】第２実施例の２画面表示モードにおいて、スケーラ４２０の入力が切り替えられる様子を示すタイミングチャート。
【図１２】プロジェクタ１００ｂの表示モードの切替に関する機能ブロックの構成を示すブロック図。
【図１３】第３実施例の２画面表示モードにおいて、スケーラ４２０の入力が切り替えられる様子を示すタイミングチャート。
【図１４】第４実施例において表示モードを切り替える表示モード切替ルーチンを示すフローチャート。
【図１５】第４実施例の表示モード切替ルーチンにより、プロジェクタ１００の表示モードが切り替わる様子を示す説明図。
【符号の説明】
【００７９】
１０…画像投射システム
１００,１００ａ，１００ｂ…プロジェクタ
１１０…ランプ
１１２…投射レンズ
１２０…液晶ライトバルブ
１３０…液晶駆動制御部
１４０，１４０ａ，１４０ｂ…表示制御部
１４２…ＵＳＢ接続検知部
１４４…フレームメモリ
１５０…ＲＧＢコネクタ
１６０…ＵＳＢコネクタ
２００…パーソナルコンピュータ
２１０…ＲＧＢ信号出力部
２２０…ＲＧＢコネクタ
３００…パーソナルコンピュータ
３１０…画像送出部
３２０…ＵＳＢコネクタ
４１０…ＡＤコンバータ
４２０…スケーラ
４３０…書込データ切替部
４４０，４４０ａ…画像データ取得部
４４２…データ解像度設定部
４５０…スケーラ入力切替部
４６０…フレームバッファ
【図１】
2008209772.tif 000003
【図２】
2008209772.tif 000004
【図３】
2008209772.tif 000005
【図４】
2008209772.tif 000006
【図５】
2008209772.tif 000007
【図６】
2008209772.tif 000008
【図７】
2008209772.tif 000009
【図８】
2008209772.tif 000010
【図９】
2008209772.tif 000011
【図１０】
2008209772.tif 000012
【図１１】
2008209772.tif 000013
【図１２】
2008209772.tif 000014
【図１３】
2008209772.tif 000015
【図１４】
2008209772.tif 000016
【図１５】
2008209772.tif 000017